(57)【要約】【課題】この発明は、受信感度が変化した際に、一定期間、受信感度の表示を行うことができるデジタルテレビ放送受信機を提供することを目的とする。【解決手段】所定時間間隔毎に受信感度を取得し、取得した受信感度が予め定められた複数段階の各レベル範囲のうちのいずれのレベル範囲に属するかを判別する手段、今回取得した受信感度に対応するレベル範囲と、前回取得した受信感度に対応するレベル範囲とが異なる場合には、今回取得した受信感度に対応するレベル範囲を表す受信感度表示マークを表示させる手段、ならびに同じレベル範囲を表す受信感度表示マークが継続して所定時間表示されたときには、その表示を消去させる手段を備えている。【選択図】  図３
2005012311.tif 000002
【特許請求の範囲】
【請求項１】
所定時間間隔毎に受信感度を取得し、取得した受信感度が予め定められた複数段階の各レベル範囲のうちのいずれのレベル範囲に属するかを判別する手段、
今回取得した受信感度に対応するレベル範囲と、前回取得した受信感度に対応するレベル範囲とが異なる場合には、今回取得した受信感度に対応するレベル範囲を表す受信感度表示マークを表示させる手段、ならびに
同じレベル範囲を表す受信感度表示マークが継続して所定時間表示されたときには、その表示を消去させる手段、
を備えていることを特徴とするデジタルテレビ放送受信機。
【請求項２】
所定時間間隔毎に受信感度を取得し、取得した受信感度が予め定められた複数段階の各レベル範囲のうちのいずれのレベル範囲に属するかを判別する手段、ならびに
今回取得した受信感度に対応するレベル範囲が、複数段階のレベル範囲のうち、感度が最も高い段階のレベル範囲とは異なるレベル範囲である場合には、今回取得した受信感度に対応するレベル範囲を表す受信感度表示マークを表示させる手段、
を備えていることを特徴とするデジタルテレビ放送受信機。
【発明の詳細な説明】
【０００１】
【発明の属する技術分野】
この発明は、デジタルテレビ放送受信機に関し、得に、携帯型、移動型のデジタルテレビ放送受信機に関する。
【０００２】
【従来の技術】
デジタルテレビ放送受信機として、ビット誤り率の測定値（受信感度）を表示するものが既に開発されている（特開平９−２４７１２８号公報参照）。
【０００３】
デジタルテレビ放送受信機において、受信感度を常に表示させておくと、受信感度表示のためのテレビ画像が見にくくなる。一方、受信感度が表示されない場合には、移動したときに受信感度が悪くなったことを把握できなくなる。
【０００４】
【特許文献】特開平９−２４７１２８号公報
【０００５】
【発明が解決しようとする課題】
ところで、テレビを視聴している人は受信感度が十分な場合や、受信感度が変化しない場合には、受信感度を把握する必要がない。一方、受信感度が十分でない場合や、受信感度が悪くなった場合には、受信感度を把握したいと考える。
【０００６】
この発明は、受信感度が変化した際に、一定期間、受信感度の表示を行うことができるデジタルテレビ放送受信機を提供することを目的とする。
【０００７】
また、この発明は、受信感度が十分でない場合にのみ、受信感度の表示を行うことができるデジタルテレビ放送受信機を提供することを目的とする。
【０００８】
【課題を解決するための手段】
この発明による第１のデジタルテレビ放送受信機は、所定時間間隔毎に受信感度を取得し、取得した受信感度が予め定められた複数段階の各レベル範囲のうちのいずれのレベル範囲に属するかを判別する手段、今回取得した受信感度に対応するレベル範囲と、前回取得した受信感度に対応するレベル範囲とが異なる場合には、今回取得した受信感度に対応するレベル範囲を表す受信感度表示マークを表示させる手段、ならびに同じレベル範囲を表す受信感度表示マークが継続して所定時間表示されたときには、その表示を消去させる手段を備えていることを特徴とする。
【０００９】
この発明による第２のデジタルテレビ放送受信機は、所定時間間隔毎に受信感度を取得し、取得した受信感度が予め定められた複数段階の各レベル範囲のうちのいずれのレベル範囲に属するかを判別する手段、ならびに今回取得した受信感度に対応するレベル範囲が、複数段階のレベル範囲のうち、感度が最も高い段階のレベル範囲とは異なるレベル範囲である場合には、今回取得した受信感度に対応するレベル範囲を表す受信感度表示マークを表示させる手段を備えていることを特徴とする。
【００１０】
【発明の実施の形態】
以下、図面を参照して、この発明を地上波デジタル放送を受信する携帯型のデジタルテレビ放送受信機に適用した場合の実施の形態について説明する。
【００１１】
〔１〕第１の実施の形態の説明
【００１２】
第１の実施の形態におけるデジタルテレビ放送受信機は、受信感度に応じて、図１の（ａ）〜（ｄ）に示す４段階の受信感度表示を行う機能を有している。受信感度の閾値をα、β、γ（α＞β＞γ）とすると、原則的には、受信感度がα以上の場合には図１（ａ）のマークＭ１が、受信感度がβ以上でかつα未満の場合には図１（ｂ）のマークＭ２が、受信感度がγ以上でかつβ未満の場合には図１（ｃ）のマークＭ３が、受信感度がγ未満の場合には、図１（ｄ）のマークＭ４が表示される。図２に、マークＭ１が画面上に表示されている状態を示す。
【００１３】
ただし、常に受信感度表示用のマークが表示されるわけではない。つまり、閾値α、β、γで規定される４段階のレベル範囲間において、受信感度が変化した際には必ず受信感度表示用のマークが表示されるが、ある受信感度表示用のマークが表示されてから受信感度が変化せずに所定時間が経過したときにはそのマークの表示が消去される。
【００１４】
なお、受信感度は、チューナ内の復調回路から得られるビットエラーレート（ビット誤り率）〔％〕に基づいて算出される。例えば、受信感度は、（１００−ビットエラーレート）によって算出される。
【００１５】
図３は、第１の実施の形態におけるデジタルテレビ放送受信機における受信感度表示処理手順を示している。
【００１６】
電源がオンされると、ビットエラーレートを取得し、受信感度Ａを算出する（ステップ１）。
【００１７】
受信感度Ａが閾値α以上であるか否かを判別する（ステップ２）。Ａ≧αであれば、マークＭ１を表示する（ステップ３）。また、前回の受信感度を表す変数Ｂに、今回算出された受信感度Ａを設定するとともに、表示時間を規定するためのタイマをオンさせた後、つまり、所定の表示時間の計時を開始させた後（ステップ４）、ステップ１３に移行する。
【００１８】
上記ステップ２において、Ａ≧αでないと判別した場合には、受信感度Ａが閾値β以上であるか否かを判別する（ステップ５）。Ａ≧βであれば、マークＭ２を表示する（ステップ６）。また、変数Ｂに、今回算出された受信感度Ａを設定するとともに、表示時間を規定するためのタイマをオンさせた後（ステップ７）、ステップ１３に移行する。
【００１９】
上記ステップ５において、Ａ≧βでないと判別した場合には、受信感度Ａが閾値γ以上であるか否かを判別する（ステップ８）。Ａ≧γであれば、マークＭ３を表示する（ステップ９）。また、変数Ｂに、今回算出された受信感度Ａを設定するとともに、表示時間を規定するためのタイマをオンさせた後（ステップ１０）、ステップ１３に移行する。
【００２０】
上記ステップ８において、Ａ≧γでないと判別した場合には、マークＭ４を表示する（ステップ１１）。また、変数Ｂに、今回算出された受信感度Ａを設定するとともに、表示時間を規定するためのタイマをオンさせた後（ステップ１２）、ステップ１３に移行する。
【００２１】
ステップ１３では、ビットエラーレートを取得し、受信感度Ａを算出する。この後、タイマがオンでかつタイマがオンされてから所定の表示時間が経過した（タイムオーバー）かを判別する（ステップ１４）。
【００２２】
タイマがオンでかつタイムオーバーであれば、現在表示されている受信感度表示用のマークの表示を消去するとともにタイマをオフさせる（ステップ１５）。つまり、ある受信感度表示用のマークが表示されてから、受信感度が変化せずに所定時間が経過したときに、そのマークの表示が消去される。この後、ステップ１６に移行する。
【００２３】
上記ステップ１４において、タイマがオンでかつタイムオーバーであるという条件を満たしていなければ、ステップ１６に移行する。ステップ１６では、受信感度Ａが閾値α以上であるか否かを判別する。Ａ≧αであれば、Ｂ≧αであるか否かを判別する（ステップ１７）。つまり、今回の受信感度は、前回の受信感度と同じであるか否かを判別する。
【００２４】
Ｂ≧αであれば、受信感度は変化していないので、ステップ１３に戻る。Ｂ≧αでなければ、受信感度ＡがＡ≧αのレベル範囲に変化したと判断し、マークＭ１を表示する（ステップ１８）。また、変数Ｂに、今回算出された受信感度Ａを設定するとともに、表示時間を規定するためのタイマをオンさせた後（ステップ１９）、ステップ１３に戻る。なお、ステップ１９において、既にタイマがオンされているときにも、ステップ１９において所定の表示時間の計時が改めて開始されることになる。
【００２５】
上記ステップ１６において、Ａ≧αでないと判別した場合には、受信感度Ａが閾値β以上であるか否かを判別する（ステップ２０）。Ａ≧βであれば、Ｂ＜αでかつＢ≧βであるか否かを判別する（ステップ２１）。つまり、今回の受信感度は、前回の受信感度と同じであるか否かを判別する。
【００２６】
Ｂ＜αでかつＢ≧βであれば、受信感度は変化していないので、ステップ１３に戻る。Ｂ＜αでかつＢ≧βという条件を満たしていない場合には、受信感度Ａがα＞Ａ≦βのレベル範囲に変化したと判断し、マークＭ２を表示する（ステップ２２）。また、変数Ｂに、今回算出された受信感度Ａを設定するとともに、表示時間を規定するためのタイマをオンさせた後（ステップ２３）、ステップ１３に戻る。なお、ステップ２３において、既にタイマがオンされているときにも、ステップ２３において所定の表示時間の計時が改めて開始されることになる。
【００２７】
上記ステップ２０において、Ａ≧βでないと判別した場合には、受信感度Ａが閾値γ以上であるか否かを判別する（ステップ２４）。Ａ≧γであれば、Ｂ＜βでかつＢ≧γであるか否かを判別する（ステップ２５）。つまり、今回の受信感度は、前回の受信感度と同じであるか否かを判別する。
【００２８】
Ｂ＜βでかつＢ≧γであれば、受信感度は変化していないので、ステップ１３に戻る。Ｂ＜βでかつＢ≧γという条件を満たしていない場合には、受信感度Ａがβ＞Ａ≧γのレベル範囲に変化したと判断し、マークＭ３を表示する（ステップ２６）。また、変数Ｂに、今回算出された受信感度Ａを設定するとともに、表示時間を規定するためのタイマをオンさせた後（ステップ２７）、ステップ１３に戻る。なお、ステップ２７において、既にタイマがオンされているときにも、ステップ２７において所定の表示時間の計時が改めて開始されることになる。
【００２９】
上記ステップ２４において、Ａ≧γでないと判別した場合には、Ｂ＜γであるか否かを判別する（ステップ２８）。つまり、今回の受信感度は、前回の受信感度と同じであるか否かを判別する。Ｂ＜γであれば、受信感度は変化していないので、ステップ１３に戻る。Ｂ＜γでなければ、受信感度ＡがＡ＜γのレベル範囲に変化したと判断し、マークＭ４を表示する（ステップ２９）。また、変数Ｂに、今回算出された受信感度Ａを設定するとともに、表示時間を規定するためのタイマをオンさせた後（ステップ３０）、ステップ１３に戻る。なお、ステップ３０において、既にタイマがオンされているときにも、ステップ３０において所定の表示時間の計時が改めて開始されることになる。
【００３０】
〔２〕第２の実施の形態の説明
【００３１】
第２の実施の形態におけるデジタルテレビ放送受信機は、受信感度が十分でない場合に、受信感度に応じて、図１の（ｂ）〜（ｄ）に示す３段階の受信感度表示を行う機能を有している。受信感度の閾値をα、β、γ（α＞β＞γ）とすると、受信感度がα以上の場合には、受信感度表示を行わない。受信感度がβ以上でかつα未満の場合には図１（ｂ）のマークＭ２が、受信感度がγ以上でかつβ未満の場合には図１（ｃ）のマークＭ３が、受信感度がγ未満の場合には、図１（ｄ）のマークＭ４が表示される。
【００３２】
なお、受信感度は、チューナ内の復調回路から得られるビットエラーレート（ビット誤り率）〔％〕に基づいて算出される。例えば、受信感度は、（１００−ビットエラーレート）によって算出される。
【００３３】
図４は、第２の実施の形態におけるデジタルテレビ放送受信機における受信感度表示処理手順を示している。
【００３４】
電源がオンされると、ビットエラーレートを取得し、受信感度Ａを算出する（ステップ５１）。
【００３５】
受信感度Ａが閾値α以上であるか否かを判別する（ステップ５２）。Ａ≧αであれば、変数Ｂに今回算出された受信感度Ａを設定した後（ステップ８０）、ステップ６１に移行する。
【００３６】
上記ステップ５２において、Ａ≧αでないと判別した場合には、受信感度Ａが閾値β以上であるか否かを判別する（ステップ５３）。Ａ≧βであれば、マークＭ２を表示する（ステップ５４）。また、変数Ｂに、今回算出された受信感度Ａを設定した後（ステップ５５）、ステップ６１に移行する。
【００３７】
上記ステップ５３において、Ａ≧βでないと判別した場合には、受信感度Ａが閾値γ以上であるか否かを判別する（ステップ５６）。Ａ≧γであれば、マークＭ３を表示する（ステップ５７）。また、変数Ｂに、今回算出された受信感度Ａを設定した後（ステップ５８）、ステップ６１に移行する。
【００３８】
上記ステップ５６において、Ａ≧γでないと判別した場合には、マークＭ４を表示する（ステップ５９）。また、変数Ｂに、今回算出された受信感度Ａを設定した後（ステップ６０）、ステップ６１に移行する。
【００３９】
ステップ６１では、ビットエラーレートを取得し、受信感度Ａを算出する。この後、受信感度Ａが閾値α以上であるか否かを判別する（ステップ６２）。Ａ≧αであれば、Ｂ≧αであるか否かを判別する（ステップ６３）。つまり、今回の受信感度は、前回の受信感度と同じであるか否かを判別する。
【００４０】
Ｂ≧αであれば、ステップ６１に戻る。Ｂ≧αでなければ、受信感度がα未満からα以上に変化したと判断し、現在表示されているマークＭ２、Ｍ３またはＭ４の表示を消去する（ステップ６４）。また、変数Ｂに、今回算出された受信感度Ａを設定した後（ステップ６５）、ステップ６１に戻る。
【００４１】
上記ステップ６２において、Ａ≧αでないと判別した場合には、受信感度Ａが閾値β以上であるか否かを判別する（ステップ６６）。Ａ≧βであれば、Ｂ＜αでかつＢ≧βであるか否かを判別する（ステップ６７）。つまり、今回の受信感度は、前回の受信感度と同じであるか否かを判別する。
【００４２】
Ｂ＜αでかつＢ≧βであれば、受信感度は変化していないので、ステップ６１に戻る。Ｂ＜αでかつＢ≧βという条件を満たしていない場合には、受信感度Ａがα＞Ａ≧βのレベル範囲に変化したと判断し、マークＭ２を表示する（ステップ６８）。また、変数Ｂに、今回算出された受信感度Ａを設定した後（ステップ６９）、ステップ６１に戻る。
【００４３】
上記ステップ６６において、Ａ≧βでないと判別した場合には、受信感度Ａが閾値γ以上であるか否かを判別する（ステップ７０）。Ａ≧γであれば、Ｂ＜βでかつＢ≧γであるか否かを判別する（ステップ７１）。つまり、今回の受信感度は、前回の受信感度と同じであるか否かを判別する。
【００４４】
Ｂ＜βでかつＢ≧γであれば、受信感度は変化していないので、ステップ６１に戻る。Ｂ＜βでかつＢ≧γという条件を満たしていない場合には、受信感度Ａがβ＞Ａ≧γのレベル範囲に変化したと判断し、マークＭ３を表示する（ステップ７２）。また、変数Ｂに、今回算出された受信感度Ａを設定した後（ステップ７３）、ステップ６１に戻る。
【００４５】
上記ステップ７０において、Ａ≧γでないと判別した場合には、Ｂ＜γであるか否かを判別する（ステップ７４）。つまり、今回の受信感度は、前回の受信感度と同じであるか否かを判別する。Ｂ＜γであれば、受信感度は変化していないので、ステップ６１に戻る。Ｂ＜γでなければ、受信感度ＡがＡ＜γのレベル範囲に変化したと判断し、マークＭ４を表示する（ステップ７５）。また、変数Ｂに、今回算出された受信感度Ａを設定した後（ステップ７６）、ステップ６１に戻る。
【００４６】
【発明の効果】
この発明によれば、受信感度が変化した際に、一定期間、受信感度の表示を行うことができるようになる。
【００４７】
また、この発明によれば、受信感度が十分でない場合にのみ、受信感度の表示を行うことができるようになる。
【図面の簡単な説明】
【図１】受信感度表示用のマークを示す模式図である。
【図２】マークＭ１が画面上に表示されている状態を示す模式図である。
【図３】第１の実施の形態におけるデジタルテレビ放送受信機における受信感度表示処理手順を示すフローチャートである。
【図４】第２の実施の形態におけるデジタルテレビ放送受信機における受信感度表示処理手順を示すフローチャートである。
【符号の説明】
Ｍ１〜Ｍ４  受信感度表示用のマーク
【図１】
2005012311.tif 000003
【図２】
2005012311.tif 000004
【図３】
2005012311.tif 000005
【図４】
2005012311.tif 000006